(57)【要約】【課題】毛束が植毛穴から抜け出すのを効果的に防止することができる歯ブラシを提供する。【解決手段】植毛台４に形成された複数個の植毛穴５に、該植毛穴５の径よりも長い幅の平線６をそれぞれ打ち込むことにより各平線６を介して二つ折りされた毛束７を植毛してなる歯ブラシ１において、平線６の幅方向の両端縁に、突出部６１又は切り込み部を形成する。また、平線６に、毛束７を構成するフィラメントの材料と親和性を有する樹脂をコーティングする。【選択図】図１
2004194982.tif 000002
【特許請求の範囲】
【請求項１】
植毛台に形成された複数個の植毛穴に、該植毛穴の径よりも長い幅の平線をそれぞれ打ち込むことにより各平線を介して二つ折りされた毛束を植毛してなる歯ブラシにおいて、
前記平線は、幅方向の両端縁に突出部又は切り込み部が形成されたことを特徴とする歯ブラシ。
【請求項２】
植毛台に形成された複数個の植毛穴に、該植毛穴の径よりも長い幅の平線をそれぞれ打ち込むことにより各平線を介して二つ折りされた毛束を植毛してなる歯ブラシにおいて、
前記平線は、毛束を構成するフィラメントの材料と親和性を有する樹脂によってコーティングされたことを特徴とする歯ブラシ。
【請求項３】
植毛台に形成された複数個の植毛穴に、該植毛穴の径よりも長い幅の平線をそれぞれ打ち込むことにより各平線を介して二つ折りされた毛束を植毛してなる歯ブラシにおいて、
前記平線は、幅方向の両端縁に突出部又は切り込み部が形成されるとともに、毛束を構成するフィラメントの材料と親和性を有する樹脂によってコーティングされたことを特徴とする歯ブラシ。
【発明の詳細な説明】
【０００１】
【発明の属する技術分野】
本発明は、歯ブラシに関する。
【０００２】
【従来の技術】
一般に、合成樹脂でブラシ本体が形成されてなる歯ブラシにおいて、毛束は、矩形形状の金属製の薄板である平線を介して植毛穴に植毛されている。すなわち、平線に毛束を巻回させて二つ折りにし、平線を毛束とともに植毛穴に打ち込むことにより、各植毛穴に毛束を植毛するようにしている。
【０００３】
かかる歯ブラシにおいて、毛束が植毛穴から容易に抜け出すのを防止するため、平線は、その幅が植毛穴の径よりも長く形成されている（例えば、特許文献１参照。）。
【０００４】
【特許文献１】
特開平１０−２５７９２２号公報（第２頁、第６図）
【０００５】
【発明が解決しようとする課題】
ところで、毛束を植毛穴から垂直に引き抜く場合の最大引張力は、ＪＩＳ規格により定められているが、微細なフィラメントで毛束を構成する場合や、使用者が入れ歯や歯列矯正具を装着している場合などでは、毛束が、歯間や矯正具などに引っ掛って植毛穴から抜け出してしまうおそれがある。したがって、植毛穴に対する毛束の最大引張力は、より大きいことが好ましい。
【０００６】
本発明は、このような事情に鑑み創作されたものであって、毛束が植毛穴から抜け出すのを効果的に防止することができる歯ブラシを提供するものである。
【０００７】
【課題を解決するための手段】
上記の目的を達成するため、本発明は、植毛台に形成された複数個の植毛穴に、該植毛穴の径よりも長い幅の平線をそれぞれ打ち込むことにより各平線を介して二つ折りされた毛束を植毛してなる歯ブラシにおいて、前記平線は、幅方向の両端縁に突出部又は切り込み部が形成されたことを特徴とする。
【０００８】
この発明によれば、植毛穴の径よりも長い平線の幅方向の両端縁に突出部または切り込み部が設けられており、また、平線を形成する金属板は、ブラシ本体を形成する合成樹脂よりも硬度が大きいことから、平線が植毛穴に打ち込まれた際、植毛穴の内周壁に平線の両端部が食い込まれた状態で密着する。したがって、植毛穴の内周壁と平線の両端部との間に働く摩擦力を十分に確保することができ、平線を介して植毛された毛束が抜け出すのを効果的に防止することができる。
【０００９】
本発明は、植毛台に形成された複数個の植毛穴に、該植毛穴の径よりも長い幅の平線をそれぞれ打ち込むことにより各平線を介して二つ折りされた毛束を植毛してなる歯ブラシにおいて、前記平線は、毛束を構成するフィラメントの材料と親和性を有する樹脂によってコーティングされたことを特徴とする。
【００１０】
この発明によれば、平線が毛束の材料と親和性を有する樹脂によってコーティングされているので、二つ折りした毛束に挟まれた平線を植毛穴に打ち込んでから、該樹脂と毛束とを溶融すると、該樹脂と毛束とを溶着することができる。この場合、平線と植毛穴の底面との間に毛束が挟まれた状態で、毛束が一体化されるので、植毛された毛束が植毛穴から抜け出すのを、一層効果的に防止することができる。
【００１１】
本発明は、植毛台に形成された複数個の植毛穴に、該植毛穴の径よりも長い幅の平線をそれぞれ打ち込むことにより各平線を介して二つ折りされた毛束を植毛してなる歯ブラシにおいて、前記平線は、幅方向の両端縁に突出部又は切り込み部が形成されるとともに、毛束を構成するフィラメントの材料と親和性を有する樹脂によってコーティングされたことを特徴とする。
【００１２】
この発明によれば、平線の幅方向の両端縁に突出部又は切り込み部が設けられるとともに、樹脂によってコーティングされているので、二つ折りした毛束に挟まれた平線が植毛穴に打ち込まれた際、植毛穴の内周壁に平線の両端部が食い込まれた状態で密着するとともに、該樹脂と毛束とを溶融すると、該樹脂と毛束とを溶着することができる。したがって、植毛穴の内周壁と平線の両端部との間に働く摩擦力を十分に確保し、かつ平線と植毛穴の底面との間に毛束が挟まれた状態で、毛束が一体化されるので、植毛された毛束が植毛穴から抜け出すのを、より一層効果的に防止することができる。
【００１３】
【発明の実施の形態】
以下、本発明の歯ブラシ１の実施の形態について、図面を参照して説明する。
【００１４】
本実施形態に係る歯ブラシ１は、ハンドル３およびハンドル３と一体に成形された植毛台４からなるブラシ本体２と、ブラシ本体２の植毛台４に形成された複数個の植毛穴５に平線６を介して植毛された毛束７と、から構成されている。
【００１５】
ブラシ本体２は、ポリプロピレンなどの合成樹脂で形成されており、植毛台４には、複数個の植毛穴５が、縦横方向に互いに一定の間隔をおいて形成されている。
【００１６】
毛束７は、微細なフィラメントを束ねて構成されており、フィラメントはナイロンやポリブチレンテレフタレートなどの合成樹脂で形成されている。
【００１７】
平線６は、図３に示すように、植毛穴５の径よりも大きな幅を有し、幅方向の両端縁に突出部６１が形成された金属製の薄板である。この平線６の突出部６１は、幅方向の両端縁をかしめることにより形成される。
【００１８】
すなわち、図４に示すように、植毛穴５の径と略同一の幅を有して、コイル状に巻回された金属製の薄板を、平線６の長さに相当するピッチをおいて間欠的に供給する一方、その幅方向の両端縁をかしめて突出部６１を形成した後、切断することにより、幅方向の両端に突出部６１を有する平線６を得ることができる。
【００１９】
このようにして平線６を製造すると、金属製薄板に残余が発生せず、薄板の歩留りが向上する。
【００２０】
上記した突出部６１の形状や、その形成位置については、図３に示すものに限定されるものではない。
【００２１】
また、平線６に突出部６１に代えて、図５に示すように幅方向両端縁から斜め内方に向けて切り込み部６２を形成してもよい。
【００２２】
この切り込み部６２についても、前述した突出部６１を有する平線６と同様に製造することができる。
【００２３】
この場合、平線６を植毛穴５に打ち込む際、打ち込まれた平線６の抜け出しを効果的に防止できるように、切り込み部６２の幅方向端縁側の一端が、内方の他端よりも上方となるように打ち込むことが好ましい。
【００２４】
この実施形態においても、切り込み部６２の形状や大きさ、数、切り込み方向は、図５に示す形態に限定されるものではなく、例えば図６に示すようなものであってもよい。
【００２５】
次に、本発明の歯ブラシ１の他の実施形態について説明する。
【００２６】
この実施形態は、詳細には図示しないが、矩形形状の金属製の薄板からなる平線６が、樹脂によってコーティングされたものであり、コーティングされる樹脂は、毛束７を構成するフィラメントの材料に対応して選択される。すなわち、フィラメントがナイロンで形成されている場合は、コーティングする樹脂もナイロンで形成され、フィラメントがポリブチレンテレフタレートで形成されている場合は、コーティングする樹脂もポリブチレンテレフタレートで形成されている。このように、コーティング樹脂と毛束７の材料とを一致させることにより、後述するように両者を一体に溶着することができる。
【００２７】
なお、コーティング樹脂と毛束７の材料とは、互いに親和性の高いものであれば、一致していない場合であっても選択することができる。
【００２８】
このように、樹脂がコーティングされた平線６に、毛束７を巻回させ、毛束７とともに平線６を植毛穴５に打ち込んだ後、例えば超音波または高周波により、平線６を加熱して平線６にコーティングされた樹脂を溶融させ、毛束７を溶着すればよい。
【００２９】
この結果、毛束７はコーティング樹脂と一体化され、毛束７が植毛穴５から抜け出すことが効果的に防止される。
【００３０】
なお、樹脂コーティングする平線６には、図３に示すような幅方向に突出部６１を形成したり、図５、図６に示すような幅方向両端縁から切り込み部６２を形成してもよい。
【００３１】
この場合も上記と同様に、樹脂がコーティングされた平線６に、毛束７を巻回させ、毛束７とともに平線６を植毛穴５に打ち込んだ後、例えば超音波または高周波により、平線６を加熱して平線６にコーティングされた樹脂を溶融させ、毛束７を溶着すればよい。
【００３２】
この結果、植毛穴６の内周壁に平線６の両端部が食い込まれた状態で密着するとともに、毛束７は一体化され、毛束７が植毛穴５から抜け出すことが一層効果的に防止される。
【００３３】
【発明の効果】
以上のように、本発明の歯ブラシによれば、毛束が植毛穴から抜け出すのを効果的に防止することができる。
【図面の簡単な説明】
【図１】本発明の歯ブラシの一実施形態を示す斜視図である。
【図２】図１の歯ブラシにおいて毛束を植毛する状態を示す部分拡大図である。
【図３】図１の歯ブラシの平線を示す斜視図である。
【図４】図３の平線を製造する工程を示す斜視図である。
【図５】本発明の歯ブラシの平線の他の例を示す斜視図である。
【図６】図５の平線の他の例を示す平面図である。
【符号の説明】
１  歯ブラシ
４  植毛台
５  植毛穴
６  平線
６１突出部
６２切り込み部
７  毛束
【図１】
2004194982.tif 000003
【図２】
2004194982.tif 000004
【図３】
2004194982.tif 000005
【図４】
2004194982.tif 000006
【図５】
2004194982.tif 000007
【図６】
2004194982.tif 000008